(57)【要約】【課題】表示部側筐体と操作部側筐体とを開閉可能に構成した携帯端末装置において、閉状態にて両筐体の互いに対向する面以外の面に備わる補助操作部が誤作動を起こさないようにする。【解決手段】携帯端末装置が完全に閉じた状態にあると、状態検出部が閉状態であることを検出して制御部に信号を送り、ロック制御部が補助操作部の操作を有効化する。その後、表示部側筐体と操作部側筐体とを連結する連結部が回動すると、状態検出部が閉状態以外であることを検出して制御部に信号を送り、ロック制御部が補助操作部の操作を無効化する。【選択図】      図６
2004153454.tif 000002
【特許請求の範囲】
【請求項１】
少なくとも表示部を有する表示部側筐体と、少なくとも主操作部を有する操作部側筐体とが開閉可能に連結され、前記主操作部は閉状態にて前記表示部側筐体により覆われ且つ開状態にて外側に露出するとともに、前記表示部は閉状態及び開状態のいずれの状態でも外側に露出させることが可能な携帯端末装置であって、該携帯端末装置は、閉状態にて両筐体の互いに対向する面以外の面に補助操作部を備え、閉状態を除き少なくとも開状態のときに前記補助操作部の一部又は全部の操作を無効にするようにしたことを特徴とする携帯端末装置。
【請求項２】
前記携帯端末装置は、前記表示部側筐体と前記操作部側筐体との開閉状態を検出する状態検出部と、該状態検出部からの信号に基づいて前記補助操作部の一部又は全部の操作の無効化を設定及び解除するロック制御部と、を有することを特徴とする請求項１に記載の携帯端末装置。
【請求項３】
前記ロック制御部は、前記状態検出部により前記表示部側筐体と前記操作部側筐体とが閉状態であるとの信号を得た時、補助操作部の操作の無効化を解除し、かつ、前記状態検出部により前記表示部側筐体と前記操作部側筐体とが閉状態以外であるとの信号を得た時、前記ロック制御部により補助操作部の操作の無効化を設定するようにしたことを特徴とする請求項２に記載の携帯端末装置。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｔ）等の携帯端末装置に関し、具体的には、少なくとも表示部を有する表示部側筐体と、少なくとも操作部を有する操作部側筐体とが開閉可能に連結され、表示部が開状態及び閉状態のいずれの状態でも外部に露出する構造を有する携帯端末装置に関する。
【０００２】
【従来の技術】
従来の携帯電話機やＰＤＡ等の携帯端末装置では、端末装置を２つの筐体により構成し、携帯時には２つの筐体を重ねて配置するようにしたものがあった。例えば、特許文献１には、表示部とスピーカーとを備えた表示部側筐体と、主操作部とマイクを備えた操作部側筐体とからなり、両筐体は前記主操作部が表示部側筐体により開閉可能に連結され、かつ、前記表示部が開状態及び閉状態のいずれの状態においても常に外側に露出するように構成した携帯端末装置が開示されている。また、この携帯端末装置は、表示部を有する面に補助操作部を備え、この補助操作部により、閉状態においてもメールや電子手帳等のアプリケーションを起動させ、表示部によって閲覧することができるようになっていた。
【０００３】
【特許文献１】
特開２００２−１３５３８０号公報
【０００４】
【発明が解決しようとする課題】
しかしながら、特開２００２−１５８７５８号公報に開示された携帯端末装置では、通話のために開状態としてスピーカーを使用者の耳に、マイクを使用者の口元にそれぞれ近づけた際、補助操作部が使用者の顔に接触して他のアプリケーション等が起動し、場合によっては終話させてしまうといった課題があった。
【０００５】
また、補助操作部を表示部側筐体や操作部側筐体の側面に配置することが考えられるが、この場合、通話のために開状態として使用者が操作部側筐体を手で保持した際に、使用者の手が補助操作部に接触して他のアプリケーション等を起動させる等の、誤動作を引き起こすといった課題があった。
さらに、上記いずれの場合においても、開状態から閉状態にする際、及び閉状態から開状態にする際、操作部側筐体を保持している手と異なる手で表示部側筐体を持って開閉させるのであるが、この開閉操作時に補助操作部を誤って押してしまい、誤動作を発生させるといった課題があった。
【０００６】
【課題を解決するための手段】
上記課題を解決するため、本発明は、少なくとも表示部を有する表示部側筐体と、少なくとも主操作部を有する操作部側筐体とが開閉可能に連結され、前記主操作部は閉状態にて前記表示部側筐体により覆われ且つ開状態にて外側に露出するとともに、前記表示部は閉状態及び開状態のいずれの状態でも外側に露出させることが可能な携帯端末装置であって、該携帯端末装置は、閉状態にて両筐体の互いに対向する面以外の面に補助操作部を備え、閉状態を除き少なくとも開状態のときに前記補助操作部の一部又は全部の操作を無効にするようにしたことを特徴とする。
【０００７】
また、前記携帯端末装置は、前記表示部側筐体と前記操作部側筐体との開閉状態を検出する状態検出部と、該状態検出部からの信号に基づいて前記補助操作部の一部又は全部の操作の無効化を設定及び解除するロック制御部と、を有することを特徴とする。
さらに、前記ロック制御部は、前記状態検出部により前記表示部側筐体と前記操作部側筐体とが閉状態であるとの信号を得た時、補助操作部の操作の無効化を解除し、かつ、前記状態検出部により前記表示部側筐体と前記操作部側筐体とが閉状態以外であるとの信号を得た時、前記ロック制御部により補助操作部の操作の無効化を設定するようにしたことを特徴とする。
【０００８】
【発明の実施の形態】
以下、本発明の実施形態を添付図面を参照にして説明する。
図１（ａ）は本発明の第一の実施形態である携帯端末装置の閉状態を示す正面図であり、図１（ｂ）は本発明の第一の実施形態である携帯端末装置の閉状態を示す左側面図である。図２（ａ）は本発明の第一の実施形態である携帯端末装置の開状態を示す正面図であり、図２（ｂ）は本発明の第一の実施形態である携帯端末装置の開状態を示す背面図である。また、図３（ａ）は本発明の第一の実施形態である携帯端末装置の開状態を示す左側面図である。図３（ｂ）は本発明の第一の実施形態である携帯端末装置の開状態を示す右側面図である。図４は本発明の第一の実施形態である携帯端末装置のブロック図である。図５は本発明の第一の実施形態である携帯端末装置の動作を説明するフローチャートである。
【０００９】
図１ないし図３に示す本発明の携帯端末装置１００は、携帯電話機に適用したものであり、１０１ａは表示部側筐体、１０１ｂは操作部側筐体、１０２は主操作部、１０２ａは主操作部１０２としての選択キー、１０３は補助操作部、１０３ａは補助操作部１０３としての３方向レバー、１０３ｂは補助操作部１０３としてのサイドキー、１０４は連結部、１０５はアンテナ、１０６は表示部、１０７ａ及び１０７ｂはスピーカー、１０８はマイクである。
【００１０】
この携帯端末装置１００は、表示部側筐体１０１ａと操作部側筐体１０１ｂとを連結部１０４によって開閉可能に連結したもので、図１は、表示部側筐体１０１ａを操作部側筐体１０１ｂの主操作部１０２上に重ねた閉状態を示し、この閉状態から連結部１０４を中心に矢印方向に１８０°回転させることで、図２に示すような開状態とするようになっている。
【００１１】
また、開状態において、表示部側筐体１０１ａの操作部側筐体１０１ｂと反対側の面には、表示部１０６と２つのスピーカー１０７ａ、１０７ｂを備え、両スピーカー１０７ａ、１０７ｂは表示部１０６を挟んで上下に配置するとともに、操作部側筐体１０１ｂの主操作部１０２を有する面には、マイク１０８を備えている。
また、開状態において、両筐体１０１ａ、１０１ｂの互いに対面する面以外の面、図１ないし図３では両筐体１０１ａ、１０１ｂの側面に補助操作部１０３を備え、この補助操作部１０３は、操作部側筐体１０１ｂの側面に有する３方向レバー１０３ａと、表示部側筐体１０１ａの側面に有するサイドキー１０３ｂとから成る。
【００１２】
また、図３に示すように、開状態になった時、表示部側筐体１０１ａの表示部１０６を有する面と反対側の面は、操作部側筐体１０１ｂの主操作部１０２を有する面に対して所定の角度θ（０＜θ≦７０°）で傾斜するようになっている。
以上の構成により、表示部１０６は閉状態及び開状態のいずれの状態においても常に外側に露出するようになっており、主操作部１０２は開状態においてのみ露出して操作することができるようになっている。
【００１３】
なお、閉状態とは、表示部側筐体１０１ａと操作部側筐体１０１ｂとが重なり合い、表示部側筐体１０１ａが操作部側筐体１０１ｂの主操作部１０２を覆っている状態を言い、開状態とは、表示部側筐体１０１ａが操作部側筐体１０１ｂに対して動き、主操作部１０２を外側に露出させた図２に示す状態を言う。また、本発明は、図１に示す閉状態から表示部側筐体１０１ａが操作部側筐体１０１ｂの主操作部１０２を有する面に対して回動するようなものだけに限らず、図１に示す閉状態から表示部側筐体が操作部側筐体の主操作部を有する面に対してスライドすることで主操作部を外側に露出させるものや、図１に示す閉状態から表示部側筐体を操作部側筐体の主操作部を有する面に対して平行な軸線を中心に回動させることができるとともに、前記軸線に垂直な軸線に対して３６０°回転させることができ、表示部を常に外側に露出させることができるものにも適用することができる。
【００１４】
ところで、表示部１０６は、携帯端末装置１００に備わる諸機能に関わるメニュー項目、画像ファイルや、アンテナ１０５が受信した電子メールの内容及び各種設定画面等を表示するようになっている。
主操作部１０２は文字や数字が印刷されたキー群であり、発呼、通話中の終話、電話番号の入力、メールの文章作成、表示部１０６に表示されたメニュー項目の選択及び決定等、種々の機能に対応した操作を行うのに使用する。主操作部１０２の中で選択キー１０２ａは特に、上下左右の操作及び押込み操作が可能であり、表示部１０６に表示されたメニュー項目を上下左右の操作で選択し、押込み操作によって決定することができ、また、送受信メール表示画面を上下の操作によりスクロールさせたりすることができるようになっている。
【００１５】
補助操作部１０３は３方向レバー１０３ａとサイドキー１０３ｂとから成り、この内、３方向レバー１０３ａは上下の操作及び押込み操作が可能で、表示部１０６に表示されたメニュー項目を上下の操作で選択し、押込み操作によって決定することができ、また、送受信メール表示画面を上下の操作によりスクロールさせたりすることができるようになっており、また、サイドキー１０３ｂは押込操作が可能で、この押込操作によってアプリケーションを起動したり、通話中に終話したりすることができるようになっている。
【００１６】
スピーカー１０７ａ及び１０７ｂは、通話時に通話相手の音声を放音するものであり、開閉状態に応じて両スピーカー１０７ａ、１０７ｂの動作が切り替わる。すなわち、閉状態においては、スピーカー１０７ｂは不動作としてスピーカー１０７ａのみを動作させ、開状態においては、スピーカー１０７ａは不動作としてスピーカー１０７ｂのみを動作させるようになっている。
マイク１０８は、通話時に使用者の音声を集音するものであり、閉状態においては、マイク１０８はスピーカー１０７ｂによって覆われることになるが、マイク１０８の集音率を上げることで、十分に集音することができるようになっている。
【００１７】
次に、図４に示すブロック図を基に、携帯端末装置１００の内部構成について説明する。４は制御部であり携帯端末１００全体の制御を行う。２は無線部であり、アンテナ１０５と制御部４との間で送受信電波の受け渡しを行う。３は状態検出部であり、連結部１０４の回転を検知することで閉状態であるか又は開状態であるかを検出する。４ａはロック制御部であり、補助操作部１０３の操作の無効化を設定及び解除する。
【００１８】
そして、本発明の携帯端末１００によれば、開状態においては、主操作部１０２が露出し操作可能となるため、表示部１０６に表示された表示内容に応じた操作を主操作部１０２によって行うことができ、また、スピーカー１０７ｂとマイク１０８とを用いた通話も可能であり、また、閉状態においては、主操作部１０２が表示部側筐体１０１ａによって覆われて操作できなくなるため、主操作部１０２の代わりに補助操作部１０３を用いて、表示部１０６に表示された表示内容に応じた操作を行うことができ、また、スピーカー１０７ａとマイク１０８とを用いた通話も可能である。
【００１９】
次に、本発明の携帯端末装置１００における補助操作部１０３の操作無効化の設定及び解除に係る動作について、図５を基に説明する。
まず、Ｓ５０１で携帯端末装置１００が開状態にあるのか開状態以外の状態であるのかを判断する。携帯端末装置１００が完全に開いた状態であると、状態検出部３が開状態であることを検出して制御部４に信号を送り、ロック制御部４ａが補助操作部１０３の電気的接続を遮断して、操作を無効化する（Ｓ５０２）。その後、連結部１０４の回動が行われなければ、補助操作部１０３は、操作が無効になったまま保持されるが、連結部１０４の回動が行われると、状態検出部３が開状態以外の状態であることを検出して制御部４に信号を送り（Ｓ５０３）、ロック制御部４ａが補助操作部１０３の電気的接続を行い、操作を有効化する（Ｓ５０４）。
【００２０】
また、Ｓ５０１において開状態以外の状態、すなわち、閉状態又は回動中であると判断されると、ロック制御部４ａが補助操作部１０３の電気的接続を行い、操作を有効化する（Ｓ５０４）。
このように、閉状態及び回動中は補助操作部１０３の操作を有効化し、開状態の場合は補助操作部１０３の操作を無効化するようにしたことによって、通話のために開状態とした状態で使用者が操作部側筐体１０１ｂを手で保持した時、誤って補助操作部１０３を押下しても、誤動作を起こすことを防止することができる。
【００２１】
次に、第二の実施形態として、閉状態の場合のみ補助操作部１０３の操作を有効化し、開状態及び筐体の回動中は補助操作部１０３の操作を無効化するようにしても良い。
図６は本発明の第二の実施形態である携帯端末装置１００の動作を説明するフローチャートである。
【００２２】
まずＳ６０１で携帯電話装置１００が閉状態にあるのか閉状態以外の状態にあるのかを判断する。携帯電話装置１００が完全に閉じた状態であると、状態検出部３が閉状態であることを検出して制御部４に信号を送り、ロック制御部４ａが補助操作部１０３の電気接続を行い、操作を有効化する（Ｓ６０２）。その後、連結部１０４の回動が行われなければ、補助操作部１０３は操作が有効になったまま保持されるが、連結部１０４の回動が行われると、状態検出部３が閉状態以外の状態であることを検出して制御部４に信号を送り（Ｓ６０３）、ロック制御部４ａが補助操作部１０３の電気的接続を遮断し、操作を無効化する（Ｓ６０４）。
【００２３】
また、Ｓ６０１において閉状態以外、すなわち、開状態又は筐体の回動中であると判断されると、ロック制御部４ａが補助操作部１０３の電気的接続を遮断し、操作を無効化する（Ｓ６０４）。
このように、閉状態でのみ補助操作部１０３の操作を有効化し、開状態及び回動中は常に補助操作部１０３の操作を無効化するようにしたことによって、通話のために開状態とした状態で使用者が操作部側筐体１０１ｂを手で保持した時、誤って補助操作部１０３を押下しても、誤動作を起こすことを防止することができるとともに、さらに、使用者が手で筐体の開閉操作を行う際、誤って補助操作部１０３を押下して誤動作を起こすことを効果的に防止することができる。
【００２４】
以上、本実施形態では３方向レバー１０３ａとサイドキー１０３ｂの両方の操作を無効にするようにした例を示したが、どちらか一方のみ操作の無効化を設定及び解除するようにしても良い。
さらに、本実施形態では携帯電話機を例にとって説明したが、この他、ＰＤＡ等の他の携帯端末装置にも適用できることは言うまでもない。
【００２５】
【発明の効果】
以上のように、本発明の携帯端末装置によれば、開状態の場合に補助操作部の操作を無効化することで、通話のために開状態として使用者が筐体を手で保持した時、誤って補助操作部を押下して誤動作を起こすことを防止することができる。また、閉状態以外の状態の場合に補助操作部の操作を無効化することで、使用者が手で筐体の開閉操作を行う際に、誤って補助操作部を押下して誤動作になるということを防ぐこともできる。すなわち、誤動作の発生を解消し、操作性を向上させることができる。
【図面の簡単な説明】
【図１】本発明の第一の実施形態である携帯端末装置の閉状態を示す図。
【図２】本発明の第一の実施形態である携帯端末装置の開状態を示す図。
【図３】本発明の第一の実施形態である携帯端末装置の開状態を示す側面図。
【図４】本発明の第一の実施形態である携帯端末装置の機能ブロック図。
【図５】本発明の第一の実施形態である携帯端末装置の動作を説明するフローチャート。
【図６】本発明の第二の実施形態である携帯端末装置の動作を説明するフローチャート。
【符号の説明】
３        状態検出部
４        制御部
４ａ      ロック制御部
１００    携帯端末装置
１０１ａ  表示部側筐体
１０１ｂ  操作部側筐体
１０６    表示部
１０２    主操作部
１０３    補助操作部
１０４    連結部
【図１】
2004153454.tif 000003
【図２】
2004153454.tif 000004
【図３】
2004153454.tif 000005
【図４】
2004153454.tif 000006
【図５】
2004153454.tif 000007
【図６】
2004153454.tif 000008